(57)【要約】【課題】音の歪みを防ぐとともに収音される音声に忠実な録音を容易に行わせる。【解決手段】サーバ装置３の記憶部には、楽器の機種毎の録音の制御に関わる制御情報と楽器の演奏音を録音する際の録音機の設置の態様を示す設置態様情報とが、楽器の機種を示す機種情報に関連付けて記憶されている。録音機２の読取部２８は、楽器１に付与されたＲＦＩＤタグに記憶されている機種情報を読み取り、ＣＰＵに供給する。録音機２のＣＰＵは、供給された機種情報をサーバ装置３に送信し、サーバ装置３は、受信した機種情報に対応する制御情報と設置態様情報とを、機種情報の応答情報として録音機２に送信する。録音機２の音声処理部２６は、受信された制御情報に基づいてオーディオ信号の録音レベルを制御し、また、録音機２のＣＰＵ２１は、受信された設置態様情報の示す内容を表示部２３に表示させる。【選択図】図１
2007310308.tif 000002
【特許請求の範囲】
【請求項１】
楽器の機種を示す機種情報の入力を受け付ける入力受付手段と、
楽器の演奏音の録音レベルを示すレベル制御情報を、前記入力受付手段が受け付けた機種情報に関連付けて要求するレベル制御情報要求手段と、
前記レベル制御情報要求手段の要求に対応して供給されるレベル制御情報を取得するレベル制御情報取得手段と、
音を収音して信号に変換して出力する収音手段と、
前記収音手段が出力する信号を前記レベル制御情報に応じた利得で増幅するゲイン調整手段と、
前記ゲイン調整手段の出力信号を記録する記録手段と
を備えることを特徴とする録音支援装置。
【請求項２】
前記レベル制御情報要求手段は、ネットワークを介して所定のサーバに前記要求を行い、前記レベル制御情報取得手段は、前記サーバから供給されるレベル制御情報を取得することを特徴とする請求項１記載の録音支援装置。
【請求項３】
楽器の演奏音の録音における前記収音手段の位置を示す収音位置情報を、前記入力受付手段が受け付けた機種情報に関連付けて要求する収音位置情報要求手段と、
前記収音位置情報要求手段の要求に対応して供給される収音位置情報を取得する収音位置情報取得手段と、
前記収音位置情報取得手段が取得した収音位置情報の内容を報知する報知手段と
を備えることを特徴とする請求項１または２記載の録音支援装置。
【請求項４】
前記収音位置情報要求手段は、ネットワークを介して所定のサーバに前記要求を行い、前記収音位置情報取得手段は、前記サーバから供給される収音位置情報を取得することを特徴とする請求項３記載の録音支援装置。
【請求項５】
楽器の演奏音の録音時の周波数帯域毎のレベルを示すイコライザ制御情報を、前記入力受付手段が受け付けた機種情報に関連付けて要求するイコライザ制御情報要求手段と、
前記イコライザ制御情報要求手段の要求に対応して供給されるイコライザ制御情報を取得するイコライザ制御情報取得手段と、
前記収音手段が出力する信号に対して前記イコライザ制御情報に基づく帯域毎のゲイン調整を行うイコライザ制御手段と
を備えることを特徴とする請求項１から４いずれかに記載の録音支援装置。
【請求項６】
前記イコライザ制御情報要求手段は、ネットワークを介して所定のサーバに前記要求を行い、前記イコライザ制御情報取得手段は、前記サーバから供給されるイコライザ制御情報を取得することを特徴とする請求項５記載の録音支援装置。
【請求項７】
前記楽器に内蔵されて空中伝搬媒体を用いて発信を行う発信装置からの信号を受信し、受信した信号の強度から前記収音手段が適切な位置にあるか否かを判定する収音位置判定手段と、
前記収音位置判定手段の判定結果を報知する収音位置判定結果報知手段とを備えることを特徴とする請求項１から６いずれかに記載の録音支援装置。
【請求項８】
前記入力受付手段は、前記楽器に内蔵されて前記機種情報を発信する機種情報発信装置から前記機種情報の入力を受け付けることを特徴とする請求項１から７いずれかに記載の録音支援装置。
【発明の詳細な説明】
【技術分野】
【０００１】
本発明は、録音支援装置に関する。
【背景技術】
【０００２】
アコースティックピアノやアコースティックギターなどのアコースティック楽器の演奏音を録音する場合において、楽器の最大出力音量が録音機器の入力ダイナミックレンジを越えてしまった場合には、録音される音は正常状態から大きく逸脱するほどに歪んだ音となってしまう。そこで、従来より、録音機器の入力ダイナミックレンジを越える信号が入力された際においても、飽和を防止し、歪みの無い信号として出力する技術が提案されている（例えば、特許文献１参照）。
【特許文献１】特許第３６８３９７８号公報
【発明の開示】
【発明が解決しようとする課題】
【０００３】
ところで、アコースティック楽器の最大出力音量は、楽器の種類や製品種別、製品番号などによって様々に異なるから、楽器の最大出力音量を予測することは不可能である場合が多い。このように楽器の最大出力音量が予測不可能である場合には、音が歪んでしまうことを防ぐために、録音機器の録音レベルを或る程度余裕のあるレベルに設定せざるを得ない。しかしながら、音が歪まない限りのレベルでの録音が最も音質がよいとされており、録音レベルに余裕を持たせるとその分音質が悪化するという懸念がある。このように、音の歪みを防ぎ、かつ、高い音質で録音できるような録音レベルを設定することは困難であることが多い。
特許文献１に記載の技術では、音の歪みを防ぐことができるものの、大きすぎる音量（＋６ｄＢ以上程度）には対応することができない。また、収音される音の元波形を少なからず加工してしまうという問題もある。
本発明は上述した背景の下になされたものであり、音の歪みを防ぐとともに収音される音声に忠実な録音を、容易に行わせることのできる技術を提供することを目的とする。
【課題を解決するための手段】
【０００４】
本発明の好適な態様である録音支援装置は、楽器の機種を示す機種情報の入力を受け付ける入力受付手段と、楽器の演奏音の録音レベルを示すレベル制御情報を、前記入力受付手段が受け付けた機種情報に関連付けて要求するレベル制御情報要求手段と、前記レベル制御情報要求手段の要求に対応して供給されるレベル制御情報を取得するレベル制御情報取得手段と、音を収音して信号に変換して出力する収音手段と、前記収音手段が出力する信号を前記レベル制御情報に応じた利得で増幅するゲイン調整手段と、前記ゲイン調整手段の出力信号を記録する記録手段とを備える。
この態様において、前記レベル制御情報要求手段は、ネットワークを介して所定のサーバに前記要求を行い、前記レベル制御情報取得手段は、前記サーバから供給されるレベル制御情報を取得してもよい。
【０００５】
また、上述の態様において、楽器の演奏音の録音における前記収音手段の位置を示す収音位置情報を、前記入力受付手段が受け付けた機種情報に関連付けて要求する収音位置情報要求手段と、前記収音位置情報要求手段の要求に対応して供給される収音位置情報を取得する収音位置情報取得手段と、前記収音位置情報取得手段が取得した収音位置情報の内容を報知する報知手段とを備えてもよい。
この態様において、前記収音位置情報要求手段は、ネットワークを介して所定のサーバに前記要求を行い、前記収音位置情報取得手段は、前記サーバから供給される収音位置情報を取得してもよい。
【０００６】
また、上述の態様において、楽器の演奏音の録音時の周波数帯域毎のレベルを示すイコライザ制御情報を、前記入力受付手段が受け付けた機種情報に関連付けて要求するイコライザ制御情報要求手段と、前記イコライザ制御情報要求手段の要求に対応して供給されるイコライザ制御情報を取得するイコライザ制御情報取得手段と、前記収音手段が出力する信号に対して前記イコライザ制御情報に基づく帯域毎のゲイン調整を行うイコライザ制御手段とを備えてもよい。
また、前記イコライザ制御情報要求手段は、ネットワークを介して所定のサーバに前記要求を行い、前記イコライザ制御情報取得手段は、前記サーバから供給されるイコライザ制御情報を取得してもよい。
【０００７】
また、上述の態様において、前記楽器に内蔵されて空中伝搬媒体を用いて発信を行う発信装置からの信号を受信し、受信した信号の強度から前記収音手段が適切な位置にあるか否かを判定する収音位置判定手段と、前記収音位置判定手段の判定結果を報知する収音位置判定結果報知手段とを備えてもよい。
また、前記入力受付手段は、前記楽器に内蔵されて前記機種情報を発信する機種情報発信装置から前記機種情報の入力を受け付けてもよい。
【発明の効果】
【０００８】
本発明によれば、音の歪みを防ぐとともに収音される音声に忠実な録音を、容易に行わせることができる。
【発明を実施するための最良の形態】
【０００９】
次に、この発明の実施の形態について説明する。
＜Ａ：構成＞
図１は、この実施形態に係るシステムの全体構成を示すブロック図である。図において、楽器１は、アコースティックピアノである。この楽器１は、ＲＦＩＤ（Radio Frequency Identification）タグ１１と、ＲＦＩＤタグ１２とを備えている。ＲＦＩＤタグ１１，１２は、楽器１に内蔵されて空中伝搬媒体を用いて発信を行う発信装置である。すなわち、ＲＦＩＤタグ１１，１２は、ＲＦＩＤリーダから発せられた電波により発電を行い、発電により得られた電力を用いて、予め内蔵されたＩＣ（Integrated Circuit）に記憶された情報を示す電波をＲＦＩＤリーダに対し発する。ＲＦＩＤタグ１１のＩＣには、楽器１の機種を示す機種情報が記憶されている。このＲＦＩＤタグ１１は、例えば楽器メーカーのロゴマークが付された箇所など、楽器において利用者が見つけ易い箇所に付与されていてもよい。ＲＦＩＤタグ１２は、楽器１の演奏音を録音する際の収音手段（マイクロフォン）の最適な設置位置に付与されている。
【００１０】
図１において、録音機２は、楽器の演奏音を録音する録音機として機能するとともに、録音を支援する録音支援装置として機能する。図示のように、録音機２とサーバ装置３とは、ネットワーク４により接続されている。サーバ装置３は、楽器の演奏音の録音レベルを示すレベル制御情報、楽器の演奏音の録音における録音機の位置を示す収音位置情報、楽器の演奏音の録音時の周波数帯域ごとのレベルを示すイコライザ制御情報などの録音に関わる設定情報を、楽器の機種を示す機種情報に関連付けて記憶しており、これらの情報を、録音機２からの要求に対応して、ネットワーク４を介して録音機２に供給する。ネットワーク４は、例えばＩＳＤＮ（Integrated Services Digital Network）やインターネットであり、有線区間又は無線区間を含んでいる。
【００１１】
録音機２において、ＣＰＵ（Central Processing Unit）２１は、記憶部２２に記憶されているコンピュータプログラムを読み出して実行することにより、録音機２の各部を制御する。記憶部２２は、例えばＥＥＰＲＯＭ（Electronically Erasable and Programmable ROM）などの記憶手段であり、前述したコンピュータプログラムを記憶するほか、図示のように、設定情報記憶領域２２ａと、オーディオデータ記憶領域２２ｂとを有している。表示部２３は、例えば液晶ディスプレイであり、ＣＰＵ２１の制御の下、録音機２を操作するためのメニュー画面などや操作を促すメッセージ画面などの各種画面を表示する。操作部２４は、各種のキーを備えており、押下されたキーに対応した信号をＣＰＵ２１へ出力する。マイク部２５は、楽器１の演奏音を収音して信号に変換して出力する収音手段である。音声処理部２６は、マイク部２５が出力する信号（アナログデータ）を増幅し、デジタルデータに変換して記憶部２２のオーディオデータ記憶領域２２ｂに記録する。通信部２７は、ＣＰＵ２１の制御の下、ネットワーク４を介してサーバ装置３とデータ通信を行う。読取部２８はＲＦＩＤリーダであり、ＲＦＩＤタグ１１，１２に電波を送信するとともに、ＲＦＩＤタグ１１，１２から発せられる電波を受信し、受信した電波により示される情報を特定する。
【００１２】
記憶部２２のオーディオデータ記憶領域２２ｂには、マイク部２５で収音され、音声処理部２６によってＡ／Ｄ変換されたオーディオデータが記憶される。設定情報記憶領域２２ａには、録音機２の録音レベルを設定するための録音レベル設定値と、録音時の周波数帯域毎のレベルを示す設定値（以下、「イコライザ設定値」）とが記憶されている。録音機２の音声処理部２６は、この設定情報記憶領域２２ａに記憶された録音レベル設定値に応じたレベルで、マイク部２５で収音される演奏音の信号を増幅してＡ／Ｄ変換し、また、オーディオデータに対して、この設定情報記憶領域２２ａに記憶されたイコライザ設定値に基づく帯域毎のゲイン調整を行い、記憶部２２のオーディオデータ記憶領域２２ｂに記録する。
【００１３】
次に、サーバ装置３において、ＣＰＵ３１は、記憶部３２に記憶されているコンピュータプログラムを読み出して実行することにより、サーバ装置３の各部を制御する。記憶部３２は、例えばハードディスクなどの大容量の記憶手段であり、前述したコンピュータプログラムを記憶するほか、図示のように、機種別設定テーブル記憶領域３２ａを有している。通信部３３は、ＣＰＵ３１による制御の下で、ネットワーク４を介して録音機２とデータ通信を行う。
【００１４】
図２は、記憶部３２の機種別設定テーブル記憶領域３２ａに記憶されている機種別設定テーブルの内容の一例を示す図である。機種別設定テーブルは、図示のように、楽器の機種毎の録音に関わる「設定情報」が、楽器の機種を示す「機種情報」に関連付けて構成されている。「機種情報」には、楽器の種類、製品種別、製品番号などの楽器の機種を識別する情報が記憶されている。「設定情報」は、楽器毎に予め測定されたデータに基づいた情報であり、図示のように、「制御情報」と「設置態様情報」との項目を有している。これらの項目のうち、「制御情報」には、楽器の演奏音の録音に関わる制御の内容を表す制御情報が記憶されている。図２に示す例においては、「録音レベル」と「イコライザ設定値」との情報が記憶されている。「録音レベル」には、録音機２の録音レベルを示すレベル制御情報が記憶される。このレベル制御情報は、機種情報の示す楽器について、予め測定されたその楽器の最大出力音量に応じて定められた情報である。また、「イコライザ設定値」には、楽器の演奏音の録音時の周波数帯域毎のレベルを示すイコライザ制御情報が記憶されている。このイコライザ制御情報は、機種情報の示す楽器の音質が最適になるような情報であってもよい。次に、「設置態様情報」には、録音機２の設置の態様を表す設置態様情報が記憶されている。図２に示す例においては、「設置態様情報」として「設置位置」と「設置方向」との情報が記憶されている。「設置位置」には、楽器の演奏音を録音する際の録音機２の設置位置を示す収音位置情報が記憶されている。また、「設置方向」の項目には、楽器の演奏音を録音する際の録音機２の設置方向を示す収音方向情報が記憶されている。
【００１５】
＜Ｂ：動作＞
次に、この実施形態の動作について説明する。
図３は、この実施形態の動作を示すフローチャートである。まず、録音機２の利用者は、楽器１のＲＦＩＤタグ１１付近において、録音機２の操作部２４を操作して、ＲＦＩＤタグ１１を読み取らせる旨を指示する。操作部２４は、操作内容に応じた信号をＣＰＵ２１に供給し、ＣＰＵ２１は、供給される信号に応じて、読取部２８に機種判別用のＲＦＩＤタグ１１を読み取らせる（ステップＳ１）。すなわち、読取部２８は、ＲＦＩＤタグ１１に電波を送信し、ＲＦＩＤタグ１１は、読取部２８から発せられた電波により発電を行い、発電により得られた電力を用いて、ＩＣに記憶された機種情報を示す電波を読取部２８に対し発する。読取部２８は、ＲＦＩＤタグ１１から発せられる電波を受信し、受信した電波により示される機種情報を特定し、機種情報をＣＰＵ２１に入力する。ＣＰＵ２１は、読取部２８から機種情報の入力を受け付ける。
【００１６】
読取部２８から機種情報の入力を受け付けると、ＣＰＵ２１は、楽器の演奏音の録音レベルを示すレベル制御情報を、入力された機種情報に関連付けて要求する。すなわち、ＣＰＵ２１は、入力された機種情報を、ネットワーク４を介して通信部２７からサーバ装置３に送信することによって、楽器１に対応する設定情報（機種別パラメータ）を問い合わせる（ステップＳ２）。サーバ装置３のＣＰＵ３１は、録音機２から受信した機種情報に対応する設定情報（制御情報と設定態様情報）を、機種別設定テーブル記憶領域３２ａから検索する。受信した機種情報に対応する設定情報が検索された場合、すなわち該機種情報に対応する設定情報が機種別設定テーブル記憶領域３２ａに記憶されていると判断された場合には、ＣＰＵ３１は、検索された設定情報を読み出し、読み出した設定情報を、受信した機種情報の応答情報として、録音機２にネットワーク４を介して通信部３３から送信する。一方、受信した機種情報に対応する設定情報が検索されなかった場合、すなわち該機種情報に対応する設定情報が機種別設定テーブル記憶領域３２ａに記憶されていないと判断された場合には、その旨を示す応答情報を、録音機２にネットワーク４を介して通信部３３から送信する。
【００１７】
録音機２のＣＰＵ２１は、通信部２７によってサーバ装置から、レベル制御情報の要求に対応して供給される応答情報（設定情報）を取得（受信）する。サーバ装置３から受信する応答情報を読むことによって、入力を受け付けた機種情報に対応する設定情報がサーバ装置３に記憶されていたか否かを判定する。記憶されていなかったと判断された場合には（ステップＳ３；ＮＯ）、ＣＰＵ２１は、その旨を示すメッセージを表示部２３に出力する（ステップＳ４）。一方、記憶されていたと判定された場合には（ステップＳ３；ＹＥＳ）、ＣＰＵ２１は、受信した（ダウンロードした）応答情報に含まれる設定情報（機種別パラメータ）に含まれるレベル制御情報とイコライザ制御情報とに応じて、記憶部２２の設定情報記憶領域２２ａに記憶された設定情報（録音レベル設定値とイコライザ設定値）を更新する（ステップＳ５）。また、ＣＰＵ２１は、受信した設定情報に含まれる設置態様情報（設置位置／方向）の内容を、表示部２３に表示させることによって報知する（ステップＳ６）。具体的には、例えば、ＣＰＵ２１は、受信した設定情報に含まれる収音位置情報に基づいて、例えば、「譜面台の右斜め上約１．５ｍの位置に録音機を設置してください」と言ったメッセージを表示部２３に表示させるとともに、受信した設定情報に含まれる収音方向情報に基づいて、設置方向を指示する内容のメッセージを表示部２３に表示させる。
録音機２の利用者は、表示部２３に表示されるメッセージを参照することで、録音機２を、メッセージの指示する設置位置と設置方向に録音機２を設置する。
【００１８】
ここで、録音機２のＣＰＵ２１は、読取部２８を制御して、ＲＦＩＤタグ１２を読み取らせる。すなわち、読取部２８は、ＲＦＩＤタグ１２に電波を送信し、ＲＦＩＤタグ１２は、読取部２８から発せられた電波により発電を行い、発電により得られた電力を用いて、ＩＣに記憶された情報を示す電波を読取部２８に対し発する。読取部２８は、ＲＦＩＤタグ１２から発せられる電波を受信し、受信した電波により示される情報を特定し、特定した情報をＣＰＵ２１に入力する。ＣＰＵ２１は、読取部２８からの情報の入力を受け付ける。
【００１９】
ＣＰＵ２１は、読取部２８が受信した信号の強度から、録音機２が適切な位置にあるか否かを判定し、その判定結果を報知する。この実施形態においては、ＣＰＵ２１は、設置態様情報の示す設置位置に録音機２が設置されているか否かを判定し、その判定結果を報知する（ステップＳ７）。この判定は、例えば読取部２８が設置位置確認用のＲＦＩＤタグ１２から受信した電波の強度を示す情報をＣＰＵ２１に入力し、ＣＰＵ２１は、この情報から録音機２とＲＦＩＤタグ１２との距離が予め定められた範囲内であるか否かを判断するようにしてもよい。正しく設置されていると判定された場合には、ＣＰＵ２１は、その旨を示す内容を、例えば表示部２３に表示させることによって報知し、一方、正しく設置されていないと判定された場合には、ＣＰＵ２１は、その旨を示す内容を表示部２３に表示させることによってその旨を報知するとともに、受信した設置態様情報の内容を表示部２３に表示させることによって報知する。
【００２０】
録音機２の利用者は、表示部２３に表示される判定結果を参照することによって、録音機２が正しく設置されているか否かを確認することができる。正しく設置されていない場合には、利用者は表示部２３に表示される設置態様を参照して、録音機２を正しい設置位置に設置し直すことができる。
【００２１】
また、この段階で部屋の音響を測定し、録音パラメータを補正してもよい。この場合、録音機２に放音部が付いた構成となり、その放音部から規定の音量で規定の音声が放音される。同時にこの行為をマイク部２５から収音し、録音した結果が音声処理部２６を経由してオーディオデータ記憶領域２２ｂに記憶され、通信部２７からサーバ装置３へ送信される。サーバ装置３では規定の音声との比較を行い、部屋の音響状態に合わせて録音パラメータを補正する。例えば残響の多い部屋では録音レベルを下げる等の補正となる。周波数特性の補正もある。
【００２２】
正しく設置されていることが確認されると、利用者は、録音機２の操作部２４を操作して、楽器１の演奏音の録音の開始を指示する。操作部２４は操作内容を示す信号をＣＰＵ２１に供給し、ＣＰＵ２１は、操作部２４から供給される信号に応じて、楽器１の演奏音の録音を開始する（ステップＳ８）。すなわち、楽器１の演奏音は、マイク部２５によって収音されてオーディオ信号に変換され、音声処理部２６へと出力される。音声処理部２６は、設定情報記憶領域２２ａに記憶された録音レベル設定値に応じた利得で増幅し、Ａ／Ｄ変換する。また、音声処理部２６は、設定情報記憶領域２２ａに記憶されたイコライザ設定値に基づく帯域毎のゲイン調整を行う。帯域調整された音声データは、記憶部２２に記録されていく。
【００２３】
このように本実施形態においては、録音機２は、読取部２８によって楽器１の機種情報を読み取って、読み取った機種情報に対応する設定情報をサーバ装置３に要求し、要求に対応してサーバ装置３から供給されるレベル制御情報に応じて録音レベルを制御する。サーバ装置３から取得されるレベル制御情報は、楽器毎に予め測定されたデータに基づいた情報であるから、本実施形態によれば、楽器１の最大出力音量に応じた利得でオーディオ信号を増幅することができる。これにより、録音において、音の歪みを防ぐとともに、収音される音声に忠実な録音を行うことが容易になる。
また、録音機２は、要求に対応してサーバ装置３から供給されるイコライザ制御情報に基づく帯域毎のゲイン調整を行うから、楽器１の特有の音色に応じたゲイン調整を行うことができる。
また、録音機２の設置の態様を報知するから、録音機２の利用者は、報知された内容を確認することで、楽器１に適した態様で録音機２を設置することができる。
また、読取部２８がＲＦＩＤタグ１２から読み取った情報に応じて、ＣＰＵ２１が、録音機２が適切な位置にあるか否かを判定し、判定結果を報知するから、利用者は、録音機２が適切な位置にあるか否かを容易に確認することができる。
【００２４】
＜Ｃ：変形例＞
以上、本発明の実施形態について説明したが、本発明は上述した実施形態に限定されることなく、他の様々な形態で実施可能である。以下にその一例を示す。
（１）本実施形態においては、楽器としてアコースティックピアノを用いたが、録音の対象となる楽器はアコースティックピアノに限らず、例えば、アコースティックギターやバイオリンなどの弦楽器や、トランペットなどの管楽器、あるいは打楽器であってもよく、本実施形態はさまざまな楽器の録音支援装置として適用することができる。
【００２５】
（２）上述した実施形態においては、マイク部２５を備える録音機について説明したが、マイクロフォン（収音手段）と録音機とが別体となって構成されていてもよい。この場合は、設置態様情報としてマイクロフォンの設置位置を示す収音位置情報と設置方向を示す設置方向情報とが用いられ、録音機の音声処理部は、サーバ装置から取得された制御情報に応じて、マイクロフォンから入力されるオーディオ信号の録音レベルの制御や帯域毎のゲイン調整を行う。
【００２６】
（３）上述した実施形態においては、録音機２の読取部（ＲＦＩＤリーダ）２８によってＲＦＩＤタグ１１の情報を読み取って、ＣＰＵ２１が読取部２８から機種情報の入力を受け付けるようにした。機種情報の入力を受け付ける態様はこれに限らず、例えば、楽器にバーコードを付与しておき、バーコードリーダでバーコードを読み取ることによってＣＰＵが機種情報の入力を受け付けるようにしてもよい。要するに、楽器に内蔵されて機種情報を発信する機種情報発信装置から機種情報の入力を受け付けるようにしてもよい。
【００２７】
または、例えば、ユーザが録音機の操作部を操作して機種情報を入力し、録音機のＣＰＵが、操作部からの信号を受信することによって機種情報の入力を受け付けるようにしてもよい。または、ＵＳＢ（Universal Serial Bus）などのインタフェースを介してＣＰＵが機種情報の入力を受け付けるようにしてもよく、または、インターネットなどの有線区間又は無線区間を含む通信ネットワークを介して機種情報を受信することによって、機種情報の入力を受け付けるようにしてもよい。要するに、機種情報の入力を受け付ける態様であればどのようなものであってもよい。
【００２８】
また、上述した実施形態においては、録音機２の内部に設けられたオーディオデータ記憶領域２２ｂにオーディオデータを記録（録音）するようにしたが、オーディオデータを記憶するものはこれに限定されるものではなく、例えば、ＵＳＢなどのインタフェースを介して接続されたＨＤＤ（Hard Disk Drive）にオーディオデータを記録するようにしてもよく、オーディオデータを記録するものはどのようなものであってもよい。
【００２９】
（４）上述した実施形態においては、録音機２の読取部２８がＲＦＩＤタグ１２の情報を読み取ることによって、録音機２が設置態様情報の示す設置位置（ＲＦＩＤタグ１２の位置）にあるか否かを判定し、その判定結果を報知するようにした。録音機（又はマイクロフォン）が適切な位置にあるか否かを判定する方法は、これに限らず、例えば、楽器において正しい設置位置にバーコードを付与しておき、録音機（又はマイクロフォン）にバーコードリーダを設けて、このバーコードリーダでバーコードを読み取ることによって適切な位置にあるか否かを判定するようにしてもよい。または、録音機２に光センサや超音波センサなどのセンサを設けて、センサの検知結果に応じて判定するようにしてもよい。要するに、楽器に内蔵されて空中伝搬媒体を用いて発信を行う発信装置からの信号を受信し、受信した信号の強度から録音機（又はマイクロフォン）が適切な位置にあるか否かを判定するものが好ましい。
【００３０】
また、上述した実施形態においては、録音機２の設置位置が正しいか否かを判定するようにしたが、録音機２の設置方向が正しいか否かについても判定するようにしてもよい。具体的には、例えば、録音機に複数のＲＦＩＤリーダを設けて、それらのＲＦＩＤリーダがＲＦＩＤタグから受信する電波の強度を判定することによって、録音機の方向が予め定められた設置方向であるか否かを判定してもよい。
【００３１】
（５）上述した実施形態においては、録音機２の音声処理部２６が、サーバ装置３から受信した制御情報に基づいて、オーディオ信号の録音レベルの制御や帯域毎のゲイン調整を行った。これに代えて、録音機のＣＰＵが、サーバ装置３から受信した制御情報の示す内容を、例えば表示部にメッセージを表示したり音声メッセージを出力する等して利用者に報知するようにしてもよい。すなわち、録音支援装置が、楽器の機種を示す機種情報の入力を受け付ける入力受付手段と、楽器の演奏音の録音レベルを示すレベル制御情報を、前記入力受付手段が受け付けた機種情報に関連付けて要求するレベル制御情報要求手段と、前記レベル制御情報要求手段の要求に対応して供給されるレベル制御情報を取得するレベル制御情報取得手段と、前記レベル制御情報取得手段が取得したレベル制御情報の内容を報知する報知手段とを備える構成としてもよい。
この構成によれば、利用者は、報知された内容を確認することによって、操作部を操作して録音機２の録音レベル設定やイコライザ設定を行うことができるから、録音の対象となる楽器に最適な設定で、楽器の演奏音の録音を行うことができる。
【００３２】
また、上述した実施形態においては、音声処理部２６がオーディオ信号をＡ／Ｄ変換した後に帯域毎のゲイン調整を行うようにしたが、Ａ／Ｄ変換する前に帯域毎のゲイン調整を行うようにしてもよい。
【００３３】
（６）上述した実施形態においては、録音機２のＣＰＵ２１が、録音機２の設置の態様（設置位置や設置方向）を示すメッセージを表示することによって報知したが、報知の態様はこれに限らず、設置の態様を報知するものであればどのようなものであってもよい。例えば、設置の態様を示す画像を表示部に表示するようにしてもよい。または、設置の態様を表す音声メッセージを出力するようにしてもよい。この場合は、サーバ装置の機種別設定テーブルに、設置の態様を示す画像データや音声メッセージを表す音声データを楽器の機種情報に対応付けて記憶しておき、録音機のＣＰＵが、機種情報に対応する画像データや音声データをサーバ装置から取得し、取得したデータに応じて画像を表示したり音声メッセージを放音したりすればよい。
また、設置態様情報と制御情報とのいずれか一方の内容を報知するようにしてもよく、または、両方の内容を報知するようにしてもよい。要するに、取得された設定情報の示す内容のうちの少なくとも一部を報知するようにすればよい。
【００３４】
（７）上述した実施形態では、録音機２とサーバ装置３とがネットワーク４で接続され、録音機２が、サーバ装置３に記憶された設定情報を取得するようにしたが、これに代えて、録音機に機種別設定情報テーブルを記憶する記憶手段を設けるようにしてもよい。この場合は、録音機のＣＰＵは、サーバ装置３に問い合わせずに、読取部２８で読み取った機種情報に対応する設定情報を、録音機内部の記憶手段から取得する。または、録音機のＣＰＵが、ＵＳＢなどのインタフェースを介して接続された記憶手段から機種情報に対応する設定情報を取得するようにしてもよい。
【００３５】
（８）上述した実施形態では、楽器の演奏音の録音に関わる設定情報を楽器の機種を示す機種情報に関連付けてサーバ装置３の機種別設定テーブル記憶領域３２ａに記憶させておくようにした。これに代えて、設定情報を、楽器の機種を示す楽器機種情報と演奏者を識別する演奏者識別情報とに関連付けて記憶しておくようにしてもよい。この場合は、録音機は、楽器機種情報と演奏者識別情報とをサーバ装置に送信し、サーバ装置は、受信した楽器機種情報と演奏者識別情報とに対応する設定情報を録音機に送信する。演奏者によって演奏の仕方は様々であり、奏される演奏音のダイナミックレンジは演奏者毎に異なるが、このようにすれば、録音機は、楽器と演奏者とに適した設定情報を取得することができる。
【００３６】
（９）上述した実施形態では、楽器の演奏音の録音に関わる設定情報を楽器の機種を示す機種情報に関連付けてサーバ装置３の機種別設定テーブル記憶領域３２ａに記憶させておくようにした。これに代えて、設定情報を、楽器の機種を示す楽器機種情報と録音機（又はマイクロフォン）の機種を示す機種情報とに関連付けて記憶しておくようにしてもよい。この場合は、録音機は、楽器機種情報と録音機機種情報とをサーバ装置に送信し、サーバ装置は、受信した楽器機種情報と録音機機種情報とに対応する設定情報を、録音機に送信する。録音機やマイクロフォンの種類や製品種別によっても、適した録音レベルやイコライザ設定値、マイクロフォンの設置位置や方向などは異なる場合が多いが、このようにすれば、録音機は、その録音機に適した設定情報を取得することができる。
【００３７】
（１０）上述した実施形態における録音機２のＣＰＵ２１又はサーバ装置３のＣＰＵ３１によって実行されるプログラムは、磁気テープ、磁気ディスク、フレキシブルディスク、光記録媒体、光磁気記録媒体、ＣＤ（Compact Disk）−ＲＯＭ、ＤＶＤ（Digital Versatile Disk）、ＲＡＭなどの記録媒体に記憶した状態で提供し得る。また、インターネットのようなネットワーク経由で録音機２又はサーバ装置３にダウンロードさせることも可能である。
【図面の簡単な説明】
【００３８】
【図１】システムの全体構成を示すブロック図である。
【図２】サーバ装置によって記憶される機種別設定情報テーブルの一例を示す図である。
【図３】実施形態の動作を示すフローチャートである。
【符号の説明】
【００３９】
１…楽器、２…録音機、３…サーバ装置、４…ネットワーク、１１，１２…ＲＦＩＤタグ、２１…ＣＰＵ、２２…記憶部、２３…表示部、２４…操作部、２５…マイク部、２６…音声処理部、２７…通信部、２８…読取部、３１…ＣＰＵ、３２…記憶部、３３…通信部。
【図１】
2007310308.tif 000003
【図２】
2007310308.tif 000004
【図３】
2007310308.tif 000005